(57)【特許請求の範囲】
【請求項１】
コンテンツを再生する機能を有する通信端末機に装着され、前記通信端末機の通信機能の使用契約をした加入者の認証情報を確認する加入者識別モジュールであって、
前記通信端末機から認証命令を受信し、前記認証情報に基づいて認証可能であるか否かを判断する認証判断部と、
前記認証判断部が認証可能と判断したときに、前記認証情報に関連した確認情報を記憶し、前記コンテンツの実行命令を前記通信端末機から受信したときに、前記確認情報に基づいて前記認証情報の有効性を確認する確認部と、
前記確認部の前記認証情報の有効性の確認結果に基づいて前記コンテンツが実行可能であるか否かを判断する実行判断部と、
を備える加入者識別モジュール。
【請求項２】
請求項１に記載の加入者識別モジュールにおいて、
前記コンテンツの実行を可能にする実行権利を保存する実行権利保存部を備え、
前記実行判断部は、前記コンテンツが実行可能であると判断したときに、前記実行権利保存部から前記実行権利を読み出して前記通信端末機に送信すること、
を特徴とする加入者識別モジュール。
【請求項３】
請求項２に記載の加入者識別モジュールにおいて、
前記確認情報は、前記実行判断部が前記コンテンツの前記実行権利を読み出すことができる回数を制限する情報を含み、
前記実行判断部は、前記実行権利を読み出した回数が、前記確認情報で制限された前記回数に達したときに、前記実行権利の読み出しを禁止すること、
を特徴とする加入者識別モジュール。
【請求項４】
請求項２に記載の加入者識別モジュールにおいて、
前記確認情報は、前記実行判断部が前記コンテンツの実行積算時間を制限する情報を含み、
前記実行判断部は、前記コンテンツを実行した積算時間が、前記確認情報で制限された前記実行積算時間に達したときに、前記実行権利の読み出しを禁止すること、
を特徴とする加入者識別モジュール。
【請求項５】
コンテンツを再生する機能を有する通信端末機に装着され、前記通信端末機の通信機能の使用契約をした加入者の認証情報を確認する加入者識別モジュールの加入者識別モジュール用プログラムであって、
コンピュータを、
前記通信端末機から認証命令を受信し、前記認証情報に基づいて認証可能であるか否かを判断させる認証判断手段と、
前記認証判断手段により認証可能と判断されたときに、前記認証情報に関連した確認情報を記憶させ、前記コンテンツの実行命令を前記通信端末機から受信したときに、前記確認情報に基づいて前記認証情報の有効性を確認させる確認手段と、
前記確認手段の前記認証情報の有効性の確認結果に基づいて前記コンテンツが実行可能であるか否かを判断させる実行判断手段
として機能させる加入者識別モジュール用プログラム。
【請求項６】
請求項５に記載の加入者識別モジュール用プログラムにおいて、
コンピュータを、前記コンテンツの実行を可能にする実行権利を保存させる実行権利保存手段として機能させ、
前記実行判断手段は、前記コンテンツが実行可能であると判断したときに、前記実行権利保存手段によって保存された前記実行権利を読み出して前記通信端末機に送信すること、
を特徴とする加入者識別モジュール用プログラム。
【発明の詳細な説明】
【技術分野】
【０００１】
本発明は、通信端末機の通信機能の使用契約をした加入者の認証情報を管理する加入者識別モジュール及び加入者識別モジュール用プログラムに関するものである。
【背景技術】
【０００２】
携帯電話機などの通信端末機によってダウンロードされたコンテンツは、複写等することによって無制限に使用されてしまう場合がある。このようなコンテンツの無制限の使用を防止するために、ＤＲＭ（デジタル著作権管理）技術による様々な対策が提案・実現されている（例えば、特許文献１参照）。
特許文献１のデジタル著作権管理システムは、通信端末機でコンテンツをダウンロードし、ＩＣカード内に保存された復号鍵によってダウンロードしたコンテンツが実行可能となる。
【０００３】
このようなコンテンツは、そのほとんどが通信端末機の通信機能の使用を契約することによって得られる特典であるが、上述したようなデジタル著作権管理システムは、通信端末機の通信機能の使用契約が解約された後においても、ダウンロードしたコンテンツが通信端末機上で使用可能となってしまい、通信端末機の特典の保護が不十分であった。
【特許文献１】特開２００３−２１６５００号公報
【発明の開示】
【発明が解決しようとする課題】
【０００４】
本発明の課題は、通信端末機の通信機能の使用契約に基づいて、コンテンツを適正に実行することができる加入者識別モジュール及び加入者識別モジュール用プログラムを提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、コンテンツを再生する機能を有する通信端末機（１０）に装着され、前記通信端末機（１０）の通信機能の使用契約をした加入者の認証情報を確認する加入者識別モジュール（１００）であって、前記通信端末機（１０）から認証命令を受信し、前記認証情報に基づいて認証可能であるか否かを判断する認証判断部（１０１ａ）と、前記認証判断部（１０１ａ）が認証可能と判断したときに、前記認証情報に関連した確認情報を記憶し、前記コンテンツの実行命令を前記通信端末機（１０）から受信したときに、前記確認情報に基づいて前記認証情報の有効性を確認する確認部（１０１ｂ）と、前記確認部（１０１ｂ）の前記認証情報の有効性の確認結果に基づいて前記コンテンツが実行可能であるか否かを判断する実行判断部（１０１ｃ）と、を備える加入者識別モジュールである。
請求項２の発明は、請求項１に記載の加入者識別モジュール（１０）において、前記コンテンツの実行を可能にする実行権利を保存する実行権利保存部（１０２ａ）を備え、前記実行判断部（１０１ｃ）は、前記コンテンツが実行可能であると判断したときに、前記実行権利保存部（１０２ａ）から前記実行権利を読み出して前記通信端末機（１０）に送信すること、を特徴とする加入者識別モジュール（１００）である。
請求項３の発明は、請求項２に記載の加入者識別モジュール（１００）において、前記確認情報は、前記実行判断部（１０１ｃ）が前記コンテンツの前記実行権利を読み出すことができる回数を制限する情報を含み、前記実行判断部（１０１ｃ）は、前記実行権利を読み出した回数が、前記確認情報で制限された前記回数に達したときに、前記実行権利の読み出しを禁止すること、を特徴とする加入者識別モジュール（１００）である。
請求項４の発明は、請求項２に記載の加入者識別モジュール（１００）において、前記確認情報は、前記実行判断部（１０１ｃ）が前記コンテンツの実行積算時間を制限する情報を含み、前記実行判断部（１０１ｃ）は、前記コンテンツを実行した積算時間が、前記確認情報で制限された前記実行積算時間に達したときに、前記実行権利の読み出しを禁止すること、を特徴とする加入者識別モジュール（１００）である。
【０００６】
請求項５の発明は、コンテンツを再生する機能を有する通信端末機（１０）に装着され、前記通信端末機（１０）の通信機能の使用契約をした加入者の認証情報を確認する加入者識別モジュール（１００）の加入者識別モジュール用プログラムであって、コンピュータ（１０１）を、前記通信端末機から認証命令を受信し、前記認証情報に基づいて認証可能であるか否かを判断させる認証判断手段と、前記認証判断手段により認証可能と判断されたときに、前記認証情報に関連した確認情報を記憶させ、前記コンテンツの実行命令を前記通信端末機（１０）から受信したときに、前記確認情報に基づいて前記認証情報の有効性を確認させる確認手段（Ｓ３０４、Ｓ４０５）と、前記確認手段（Ｓ４０５）の前記認証情報の有効性の確認結果に基づいて前記コンテンツが実行可能であるか否かを判断させる実行判断手段（Ｓ４０６）として機能させる加入者識別モジュール用プログラムである。
請求項６の発明は、請求項５に記載の加入者識別モジュール用プログラムにおいて、コンピュータ（１０１）を、前記コンテンツの実行を可能にする実行権利を保存させる実行権利保存手段として機能させ、前記実行判断手段は、前記コンテンツが実行可能であると判断したときに、前記実行権利保存手段によって保存された前記実行権利を読み出して前記通信端末機（１０）に送信すること、を特徴とする加入者識別モジュール用プログラムである。
【発明の効果】
【０００７】
本発明によれば、以下のような効果がある。
（１）認証可能と判断された加入者の認証情報に関連した確認情報を確認することによって、コンテンツが実行可能であるか否かを判断しているので、通信端末機の通信機能の使用契約に基づいて、コンテンツの実行を管理することができる。
（２）コンテンツが実行可能であると判断されたときに、コンテンツの実行権利を通信端末機へ送信しているので、コンテンツの実行を実行権利によって制限でき、コンテンツの不正な実行を防止することができる。
【０００８】
（３）実行判断部は、実行権利を読み出した回数が確認情報で制限された読み出し回数に達したときに実行権利の読み出しを禁止しているので、通信端末機の通信機能の使用契約に基づいたコンテンツの実行管理を容易な形態で実現することができる。
（４）実行判断部は、コンテンツを実行した積算時間が確認情報で制限された実行積算時間に達したときに実行権利の読み出しを禁止しているので、通信端末機の通信機能の使用契約に基づいたコンテンツの実行管理を容易な形態で実現することができる。
（５）実行判断部は、加入者識別モジュールがリセットされた回数が確認情報で制限されたリセット回数に達したときに、実行権利の読み出しを禁止しているので、通信端末機の通信機能の使用契約に基づいたコンテンツの実行管理を容易な形態で実現することができる。
【発明を実施するための最良の形態】
【０００９】
本発明は、通信端末機の通信機能の使用契約に基づいて、コンテンツを適正に実行することができる加入者識別モジュール及び加入者識別モジュール用プログラムを提供するという目的を、使用契約をした加入者の認証情報に関連した確認情報を確認し、コンテンツが実行可能であるか否かを判断することによって実現する。
【００１０】
（実施形態）
以下、図面等を参照して、本発明の実施形態をあげて、さらに詳しく説明する。
図１は、本発明による通信端末機に装着された加入者識別モジュールの実施形態として携帯電話機に装着されたＵＩＭカードの概略を示す図である。図２は、携帯電話機に保存されたコンテンツの再生時の流れを説明する図である。
【００１１】
携帯電話機（通信端末機）１０は、図１に示すように、ＣＰＵ１１、通信部１２、記憶部１３、入出力部１４及び操作部１５を備えている。携帯電話機１０は、不図示の通話機能と、基地局２００を介して外部のサーバから動画データや音楽データなどのコンテンツを自在にダウンロードすることができるインターネット機能とを備えた携帯可能な電話機である。また、携帯電話機１０は、ＵＩＭ（Ｕｓｅｒ  Ｉｄｅｎｔｉｔｙ  Ｍｏｄｕｌｅ）カード１００がその内部に装着されており、ＵＩＭカード１００に記録された認証情報や復号鍵などを読み出すことによって、通話などの通信機能やコンテンツを使用することができる。ここで、携帯電話機１０でダウンロードするコンテンツは、携帯電話機１０の通信機能の使用契約をすることによって与えられる特典であり、不正な利用を防止するために予め暗号化されているものとする。本実施形態では、コンテンツは、ダウンロードされた後、携帯電話機１０の記憶部１３に保存されているが、例えば、「ビデオ・オン・デマンド」などのストリーミング再生方式によって配信されるものであってもよい。
【００１２】
また、携帯電話機１０は、その通話機能を使用するために、携帯電話機の使用者（加入者）による使用契約が必要とされており、携帯電話機１０に装着されるＵＩＭカード１００には使用契約に関連した加入者固有の認証情報が記録されている。そして、携帯電話機１０は、定期的に基地局２００から認証情報の確認が求められ、その求めに応じてＵＩＭカード１００に認証情報を確認させ、その結果を基地局へ送信している。使用契約が解約されたときは、認証情報が無効となり、それに伴ってＵＩＭカード１００による認証情報の確認も不成功となるので、携帯電話機１０は、通信機能の使用が不可能となる。
【００１３】
ＣＰＵ１１は、携帯電話機１０の各部と接続されており、携帯電話機１０を統括して制御する制御回路（コンピュータ）であり、コンテンツ再生部１１ａ及び認証実行部１１ｂを備えている。
コンテンツ再生部１１ａは、後述の記憶部１３に保存された暗号化したコンテンツを復号化して再生する部分である。具体的には、使用者によって操作部１５からコンテンツを再生する旨の命令が入力されたときに、コンテンツ再生部１１ａは、図２に示すように、再生コマンド（実行命令）をＵＩＭカード１００に送信する。そして、再生コマンドがＵＩＭカード１００内で適正に処理されると、コンテンツ再生部１１ａは、後述のＵＩＭカード１００から復号鍵を受信し、その復号鍵によってコンテンツを復号して携帯電話機１０上で再生する。
【００１４】
認証実行部１１ｂは、基地局２００からの求めに応じて、携帯電話機１０の通信機能の使用契約の認証を行う部分である。具体的には、基地局２００から認証の要求を受信したときに、ＵＩＭカード１００に認証コマンドを送信して認証可能であるか否かを確認させ、ＵＩＭカード１００から認証の確認結果を認証レスポンスとして受信したら、その認証レスポンスを基地局２００へと送信する。
【００１５】
通信部１２は、図１に示すように、基地局２００に対して電話の通話情報や、基地局２００を介して不図示のサーバからコンテンツなどをダウンロードする通信回路である。
記憶部１３は、携帯電話機１０の設定や、通信部１２でダウンロードしたコンテンツなどを保存するメモリである。
【００１６】
入出力部１４は、認証コマンドや再生コマンドなどの命令をＵＩＭカード１００に対して出力したり、その出力した命令に応じて返信される結果やデータなどをＵＩＭカード１００から入力したりするインターフェース部である。
操作部１５は、携帯電話機１０の通話操作や、インターネットの接続操作、コンテンツの再生操作などを行う際に使用する複数のボタン及びテンキーである。
【００１７】
ＵＩＭカード１００は、上述したように携帯電話機１０に装着されたＩＣカードであり、ＣＰＵ１０１、記憶部１０２及び入出力部１０３などを備えている。
ＣＰＵ１０１は、ＵＩＭカード１００の各部と接続されることによって、その各部を統括制御する制御回路（コンピュータ）であり、加入者認証部（認証判断部）１０１ａ、加入継続確認部（確認部）１０１ｂ及び再生判断部（実行判断部）１０１ｃを備えている。また、ＣＰＵ１０１は、後述の記憶部１０２にインストールされたプログラムによって加入者認証部（認証判断部）１０１ａ、加入継続確認部（確認部）１０１ｂ及び再生判断部（実行判断部）１０１ｃを機能させている。
加入者認証部１０１ａは、図２に示すように、携帯電話機１０の認証実行部１１ｂの認証コマンドを受信したときに、後述の記憶部１０２に保存された認証情報に基づいて、受信した認証コマンドが認証可能であるか否かを判断し、その結果を認証レスポンスとして認証実行部１１ｂに送信する。また、加入者認証部１０１ａは、認証コマンドが認証可能であると判断したときに、その旨の情報を加入継続確認部１０１ｂに送信する。
【００１８】
加入継続確認部１０１ｂは、認証カウント値及びカウント上限値（確認情報）を有しており、認証カウント値及びカウント上限値を比較することによって携帯電話機１０の通信機能の認証情報が有効であるか否かを確認し、その確認結果を再生判断部１０１ｃに送信する。
認証カウント値は、後述の再生判断部１０１ｃが後述の復号鍵ＤＢ１０２ａから復号鍵を読み出した回数であり、上述の加入者認証部１０１ａから認証コマンドが認証された旨の情報を最初に受信したときは、ゼロに設定される。そして、加入継続確認部１０１ｂから認証情報が有効である旨の情報が再生判断部１０１ｃに送信され、再生判断部１０１ｃが後述の復号鍵ＤＢ１０２ａから復号鍵を読み出す度に、認証カウント値は１増加する。ここで、後述の再生判断部１０１ｃは、コンテンツが再生可能であると判断したときに復号鍵を読み出すので、認証カウント値はコンテンツの再生した回数と等しくなる。
また、認証カウント値は、加入者認証部１０１ａから認証コマンドが認証された旨の情報を受信する度にゼロにリセットされる。カウント上限値は、認証情報が有効とされる認証カウント値の上限設定値であり、本実施形態では３に設定される。
【００１９】
以上より、携帯電話機１０から後述の再生判断部１０１ｃに再生コマンドが入力されたときに、加入継続確認部１０１ｂは、認証カウント値とカウント上限値との大小関係を確認することによって認証情報の有効性を確認する。具体的には、認証カウント値がカウント上限値（３）よりも小さい場合、例えば、認証カウント値が２のとき、加入継続確認部１０１ｂは、認証情報が有効であると確認し、その旨の情報を再生判断部１０１ｃに送信する。また、認証カウント値がカウント上限値（３）以上の場合、例えば、認証カウント値が３のとき、加入継続確認部１０１ｂは、認証情報が有効でないと確認し、その旨を再生判断部１０１ｃに送信する。
なお、カウント上限値は３に限られるものではなく、例えば、携帯電話機１０とＵＩＭカード１００との間で認証情報の認証が頻繁に行われるのであれば、カウント上限値は３よりも小さい値に設定してもよく、逆に、頻繁ではない場合は３より大きい値に設定してもよい。
【００２０】
再生判断部１０１ｃは、携帯電話機１０のコンテンツ再生部１１ａからコンテンツの再生コマンドを受信したときに、そのコンテンツが再生可能であるか否かを判断し、再生可能であると判断したときには、後述の記憶部１０２の復号鍵ＤＢ１０２ａからコンテンツの復号鍵を読み出して携帯電話機１０へと送信する。
具体的には、再生判断部１０１ｃは、コンテンツの再生コマンドを受信したら、後述の記憶部１０２の復号鍵ＤＢ１０２ａに、再生したいコンテンツに対応した復号鍵が保存されているか否かを確認する。また、再生判断部１０１ｃは、携帯電話機１０の通信機能の認証情報の有効性の確認命令を加入継続確認部１０１ｂに対して送信し、加入継続確認部１０１ｂから確認結果を受信する。
【００２１】
復号鍵が後述の復号鍵ＤＢ１０２ａに存在し、かつ、加入継続確認部１０１ｂの確認結果が、認証情報が有効である旨の情報であるときに、再生判断部１０１ｃは、コンテンツが再生可能であると判断する。そして、再生判断部１０１ｃは、後述の記憶部１０２の復号鍵ＤＢ１０２ａから復号鍵を読み出して、携帯電話機１０のコンテンツ再生部１１ａへ送信する。
仮に、上記２つの条件が満たされず、コンテンツの再生が不可能であると判断した場合、再生判断部１０１ｃは、復号鍵ＤＢ１０２ａからの復号鍵の読み出しを禁止し、コンテンツが再生不可能である旨の情報を携帯電話機１０へ送信し、不図示の表示部などを介して使用者に伝える。
【００２２】
記憶部１０２は、図１に示すように、携帯電話機１０の通信機能の認証情報や、加入継続確認部１０１ｂで確認する認証カウント値及びカウント上限値などを保存するメモリである。また、記憶部１０２は、暗号化されたコンテンツを復号する復号鍵が保存される復号鍵ＤＢ（実行権利保存部）１０２ａを備えている。
入出力部１０３は、携帯電話機１０から認証コマンドや再生コマンドなどの命令を入力し、受信した命令に基づいて、コマンド結果や復号鍵などを携帯電話機１０の入出力部へ出力するインターフェース部である。
【００２３】
次に、携帯電話機の通信機能の認証及び加入継続確認部の認証カウント値のリセットについて説明する。図３は、携帯電話機の通信機能の認証及び加入継続確認部の認証カウント値のリセットの流れを説明する図である。
携帯電話機１０は、図３に示すように、基地局２００から通信機能の認証が要求されたら（Ｓ３０１）、認証実行部１１ｂからＵＩＭカード１００の加入者認証部１０１ａへ認証コマンドを出力する（Ｓ３０２）。認証コマンドを入力したＵＩＭカード１００は、加入者認証部１０１ａで認証コマンドに基づいて、通信機能の認証を行う。
【００２４】
認証コマンドが認証された場合、加入者認証部１０１ａは、その旨の情報を加入継続確認部１０１ｂに送信する（Ｓ３０３）。加入継続確認部１０１ｂは、受信した情報に基づいて認証カウント値をゼロに設定し（Ｓ３０４）、設定した旨の情報を加入者認証部１０１ａに返信する（Ｓ３０５）。そして、加入者認証部１０１ａは、認証コマンドを認証した旨の情報を認証レスポンスとして携帯電話機１０の認証実行部１１ｂへ出力する（Ｓ３０６）。
【００２５】
仮に、認証コマンドが認証されなかった場合、加入者認証部１０１ａは、認証コマンドが認証されなかった旨の情報を認証レスポンスとして認証実行部１１ｂへ出力する（Ｓ３０６）。
認証レスポンスを受信した認証実行部１１ｂは、その認証結果を、通信部１２を介して基地局２００へ送信する（Ｓ３０７）。
【００２６】
次に、携帯電話機１０に保存されたコンテンツの再生について説明する。図４は、携帯電話機及びＵＩＭカードのコンテンツの再生時における動作の流れを説明する図である。
携帯電話機１０は、図４に示すように、使用者によってコンテンツを再生したい旨の命令が操作部１５を介して入力されたら（Ｓ４０１）、コンテンツ再生部１１ａからＵＩＭカード１００の再生判断部１０１ｃへ再生コマンドを出力する（Ｓ４０２）。再生コマンドが入力された再生判断部１０１ｃは、再生したいコンテンツの復号鍵が復号鍵ＤＢ１０２ａに存在しているか否かを確認する（Ｓ４０３）。
【００２７】
続いて、再生判断部１０１ｃは、加入継続確認部１０１ｂへ携帯電話機１０の通信機能の認証情報の有効性を確認する旨の確認命令を送信（Ｓ４０４）する。確認命令を受信した加入継続確認部１０１ｂは、再生カウント値ＣＮＴＲとカウント上限値ＭＡＸとを比較して携帯電話機１０の認証情報の有効性の確認をして（Ｓ４０５）、その確認結果を再生判断部１０１ｃへと送信する（Ｓ４０６）。
【００２８】
復号鍵の存在と、加入継続確認部１０１ｂの認証情報の有効性の確認結果とに基づいて、再生判断部１０１ｃがコンテンツを再生可能であると判断した場合、再生判断部１０１ｃは、復号鍵ＤＢ１０２ａからコンテンツの復号鍵を読み出して（Ｓ４０７、Ｓ４０８）、携帯電話機１０のコンテンツ再生部１１ａへ送信する（Ｓ４０９）。復号鍵を受信したコンテンツ再生部１１ａは、携帯電話機１０の記憶部１３に保存されたコンテンツを復号鍵で復号して再生する（Ｓ４１０）。再生されたコンテンツは、不図示の表示部やスピーカを介して使用者に伝達される（Ｓ４１１）。
【００２９】
仮に、再生判断部１０１ｃがコンテンツを再生不可能であると判断した場合、再生判断部１０１ｃは、その旨を携帯電話機１０のコンテンツ再生部１１ａへ送信する（Ｓ４０９）。コンテンツが再生不可能である旨の情報を受信したコンテンツ再生部１１ａは、その旨を不図示の表示部に表示して使用者に伝達する（Ｓ４１１）。
【００３０】
以上より、本実施形態のＵＩＭカードには以下のような効果がある。
（１）認証可能と判断された加入者の認証情報に関連した認証カウント値をカウント上限値と確認することによって、コンテンツが再生可能であるか否かを判断しているので、携帯電話機１０の通信機能の使用契約に基づいて、コンテンツの再生を管理することができる。したがって、携帯電話機１０の通信機能の使用契約の特典として与えられるコンテンツの再生を、通信機能の使用契約が解約されたときなどにおいて、適正に制限することができる。
【００３１】
（２）コンテンツが実行可能であると判断されたときに、コンテンツの実行を可能にする復号鍵を携帯電話機１０へ送信しているので、コンテンツの実行を復号鍵によって制限でき、コンテンツの不正な実行を防止することができる。
（３）再生判断部１０１ｃは、認証カウント値がカウント上限値に達したときに復号鍵の読み出しを禁止しているので、携帯電話機１０の通信機能の使用契約に基づいたコンテンツの実行管理を容易な形態で実現することができる。
【００３２】
（変形形態）
以上、説明した実施形態に限定されることなく、種々の変形や変更が可能であり、それらも本発明の範囲内である。
（１）本実施形態では、再生判断部１０１ｃは、認証カウント値がカウント上限値に達したときに復号鍵の読み出しを禁止していたが、それ以外の条件で復号鍵の読み出しを禁止してもよい。例えば、コンテンツを実行した積算時間が、予め設定された積算時間の上限値に達したときに復号鍵の読み出しを禁止してもよいし、また、ＵＩＭカード１００（携帯電話機１０）がリセットされた回数が、予め設定されたリセット回数の上限値に達したときに、復号鍵の読み出しを禁止してもよい。
（２）本実施形態では、携帯電話機１０に保存された１のコンテンツついて説明したが、コンテンツは、記憶部１３に複数保存させることができ、また、そのコンテンツを復号する復号鍵も、コンテンツ毎に複数の復号鍵を復号鍵ＤＢに保存することができる。
【図面の簡単な説明】
【００３３】
【図１】本発明による通信端末機に装着された加入者識別モジュールの実施形態として携帯電話機に装着されたＵＩＭカードの概略を示す図である。
【図２】携帯電話機に保存されたコンテンツの再生時の流れを説明する図である。
【図３】携帯電話機の通信機能の認証及び加入継続確認部の認証カウント値のリセットの流れを説明する図である。
【図４】携帯電話機及びＵＩＭカードのコンテンツの再生時における動作の流れを説明する図である。
【符号の説明】
【００３４】
１０  携帯電話機
１１  ＣＰＵ
１１ａ  コンテンツ再生部
１１ｂ  認証実行部
１２  通信部
１３  記憶部
１４  入出力部
１５  操作部
１００  ＵＩＭカード
１０１  ＣＰＵ
１０１ａ  加入者認証部
１０１ｂ  加入継続確認部
１０１ｃ  再生判断部
１０２  記憶部
１０２ａ  復号鍵ＤＢ
１０３  入出力部
２００  基地局
【図１】
0005082647.tif 000002
【図２】
0005082647.tif 000003
【図３】
0005082647.tif 000004
【図４】
0005082647.tif 000005